(57)【要約】【課題】浮彫模様を形成することによって、陶磁器本来の質感を生かしながら、オリジナリティのある優れた意匠性を得ることができる陶磁器を提供すること。【解決手段】陶磁器１は、浮彫模様２が形成された意匠面１３を有している。浮彫模様２は、略等間隔で配置された曲線からなる複数の第１基準線３１と、第１基準線３１と交差するよう配置された曲線からなる複数の第２基準線３２とを有している。複数の第１基準線３１は、凸稜線３１１と凹稜線３１２とに交互に分類される。意匠面１３には、各凸稜線３１１を挟む一対の凹稜線３１２から凸稜線３１１へと向かって突出する断面山形状の突条部２１と、複数の第２基準線３２に沿うように突条部２１の表面に形成された複数の細溝部２２とからなる浮彫模様２が形成されている。【選択図】図１
2015128553.tif 000002
【特許請求の範囲】
【請求項１】
少なくとも一部に浮彫模様が形成された意匠面を有する陶磁器であって、
上記浮彫模様は、略等間隔で配置された直線又は曲線からなる複数の第１基準線と、該第１基準線と交差するよう配置された直線又は曲線からなる複数の第２基準線とを有し、
上記複数の第１基準線は、凸稜線と凹稜線とに交互に分類され、
上記各凸稜線を挟む一対の上記凹稜線から上記凸稜線へと向かって突出するように形成された断面山形状の突条部と、上記複数の第２基準線に沿うように上記突条部の表面に形成された複数の細溝部とからなることを特徴とする陶磁器。
【請求項２】
上記複数の第２基準線は、上記第１基準線同士の間隔よりも小さい間隔で略等間隔に配置されていることを特徴とする請求項１に記載の陶磁器。
【請求項３】
上記第１基準線と上記第２基準線との交差点における交差角度θは、５０°〜１７３°であることを特徴とする請求項１又は２に記載の陶磁器。
【請求項４】
上記第１基準線と上記第２基準線とは、一方を裏返した形状が互いに相似する円弧形状曲線からなることを特徴とする請求項１〜３のいずれか一項に記載の陶磁器。
【請求項５】
上記浮彫模様は、内周縁と該内周縁と同心の外周縁とに囲まれたリング状領域の少なくとも一部に設けられており、
上記第１基準線は、上記内周縁と上記外周縁とを結ぶ直線又は曲線からなると共に、上記内周縁及び上記外周縁の中心に関して点対称に規則的に配列されており、
上記第２基準線は、上記内周縁と上記外周縁とを結ぶ直線又は曲線からなる上記第１基準線を裏返した形状を有すると共に、上記内周縁及び上記外周縁の中心に関して点対称に規則的に配列されていることを特徴とする請求項１〜４のいずれか一項に記載の陶磁器。
【請求項６】
上記浮彫模様は、内周縁と該内周縁と同心の外周縁とに囲まれたリング状領域の少なくとも一部に設けられており、上記複数の第１基準線又は上記複数の第２基準線は、複数の同心円によって形成されていることを特徴とする請求項１〜３のいずれか一項に記載の陶磁器。
【請求項７】
上記浮彫模様は、内周縁と該内周縁と同心の外周縁とに囲まれたリング状領域の少なくとも一部に設けられており、上記複数の第１基準線又は上記複数の第２基準線は、仮想の中心点から放射状に配置された直線によって形成されていることを特徴とする請求項１〜３及び６のいずれか一項に記載の陶磁器。
【請求項８】
隣り合う上記複数の第１基準線同士の間隔Ｗ１は、２．５ｍｍ≦Ｗ１≦１２ｍｍであり、隣り合う上記複数の第２基準線同士の間隔Ｗ２は、０．５ｍｍ≦Ｗ２≦３．０ｍｍであることを特徴とする請求項１〜７のいずれか一項に記載の陶磁器。
【請求項９】
上記浮彫模様において、上記突条部における意匠面からの突出高さＨは、０．３ｍｍ≦Ｈ≦０．８ｍｍであり、上記細溝部の溝深さＤは、０．１ｍｍ≦Ｄ≦０．３ｍｍであることを特徴とする請求項１〜８のいずれか一項に記載の陶磁器。
【発明の詳細な説明】
【技術分野】
【０００１】
本発明は、浮彫模様が形成された陶磁器に関する。
【背景技術】
【０００２】
食器、茶器、花器等の各種容器には、粘土を所定の形に成形し高熱で焼き締めた陶磁器が用いられている。この陶磁器には、意匠性を向上させるために、種々の装飾を施したものがある（特許文献１）。
特許文献１に示された陶磁器には、厚盛加飾が施されている。厚盛加飾は、陶磁器の表面に形成された下地層と、下地層の上に形成された厚盛層とからなる。この厚盛層は、ガラス等の透光性の材料によって形成されており、下地層の着色を透視することで、宝石や真珠のような質感を得ることができる。
【先行技術文献】
【特許文献】
【０００３】
【特許文献１】特開２００５−３２０１８３号公報
【発明の概要】
【発明が解決しようとする課題】
【０００４】
しかしながら、特許文献１に示された陶磁器には、以下の課題がある。
特許文献１に示された陶磁器においても、その意匠性を向上することができる。その反面、厚盛加飾における宝石や真珠のような質感が強調されることにより、陶磁器本来の美しさや質感が損なわれてしまう場合がある。
【０００５】
本発明は、かかる背景に鑑みてなされたものであり、陶磁器本来の質感を生かしながら、オリジナリティのある意匠性に優れた浮彫模様を有する陶磁器を提供しようとするものである。
【課題を解決するための手段】
【０００６】
本発明の一態様は、少なくとも一部に浮彫模様が形成された意匠面を有する陶磁器であって、
上記浮彫模様は、略等間隔で配置された直線又は曲線からなる複数の第１基準線と、該第１基準線と交差するよう配置された直線又は曲線からなる複数の第２基準線とを有し、
上記複数の第１基準線は、凸稜線と凹稜線とに交互に分類され、
上記各凸稜線を挟む一対の上記凹稜線から上記凸稜線へと向かって突出するように形成された断面山形状の突条部と、上記複数の第２基準線に沿うように上記突条部の表面に形成された複数の細溝部とからなることを特徴とする陶磁器にある。
【発明の効果】
【０００７】
上記陶磁器は、互いに交差する上記突条部と上記細溝部とを有する上記浮彫模様が形成された上記意匠面を備えている。そのため、該意匠面には、上記突条部と上記細溝部とによって、角度や形状が異なる複数の凹凸形状が形成される。これら凹凸形状を備えることで上記意匠面においては、光の当たる方向の変化や視点の移動によって、光の反射方向及び陰影の形成のされ方が変化し、上記意匠面の色及び形状が変化するような視覚効果が得られる。この視覚効果は、陶磁器が本来備えている質感によって表現されるものである。このように、上記意匠面に形成された上記浮彫模様による意匠性の向上に加え、陶磁器ならではの質感と美しさとを生かすことによって、これまでにない優れた意匠性を備えた陶磁器を得ることができる。
【０００８】
以上のごとく、上記陶磁器によれば、浮彫模様を形成することによって、陶磁器本来の質感を生かしながら、オリジナリティのある優れた意匠性を得ることができる。
【図面の簡単な説明】
【０００９】
【図１】実施例１における、陶磁器を示す平面図。
【図２】実施例１における、陶磁器を示す部分拡大図。
【図３】図１のＡ−Ａ矢視における部分断面図。
【図４】図３における、意匠面表面の部分拡大図。
【図５】実施例１における、第１基準線の形成手順を示す説明図。
【図６】実施例１における、第１基準線を形成した意匠面を示す説明図。
【図７】実施例１における、第１基準線及び第２基準線を形成した意匠面を示す説明図。
【図８】実施例２における、陶磁器を示す平面図。
【図９】実施例３における、陶磁器を示す平面図。
【発明を実施するための形態】
【００１０】
上記陶磁器の上記複数の第２基準線は、上記第１基準線同士の間隔よりも小さい間隔で略等間隔に配置されていることが好ましい。この場合には、上記突条部と、該突条部より小さい間隔で形成された上記細溝部とが上記意匠面に形成される。これにより、上記細溝部の数を増やし、該細溝部による光の散乱をより大きくすることができる。上記細溝部における光の散乱により、上記突条部の形状を強調する部位と、上記突条部の形状をぼかす部位とが形成され、上記陶磁器における視覚効果をより高めることができる。
尚、異なる視覚効果を得るために、上記第２基準線同士の間隔を部分的に変化させてもよい。例えば、上記意匠面上に、上記第２基準線同士の間隔が略等間隔で配置された部分が点在するパターンでも採用可能である。
【００１１】
また、上記第１基準線と上記第２基準線との交差点における交差角度θは、５０°〜１７３°であることが好ましい。この場合には、上記突条部と上記細溝部とを形成した際の視覚効果がより効果的となる。尚、上記交差角度θは、１２５°〜１４５°であることがより好ましい。この場合には、上記意匠面における上記視覚効果がより高められる。
【００１２】
また、上記第１基準線と上記第２基準線とは、一方を裏返した形状が互いに相似する円弧形状曲線からなることが好ましい。この場合には、上記第１基準線と上記第２基準線とにおける形状及び配置のバランスを取りやすい。これにより、上記突条部と上記細溝部とを均整の取れた配置とし、上記意匠面における意匠性をより向上することができる。
【００１３】
また、上記浮彫模様は、内周縁と該内周縁と同心の外周縁とに囲まれたリング状領域の少なくとも一部に設けられており、上記第１基準線は、上記内周縁と上記外周縁とを結ぶ直線又は曲線からなると共に、上記内周縁及び上記外周縁の中心に関して点対称に規則的に配列されており、上記第２基準線は、上記内周縁と上記外周縁とを結ぶ直線又は曲線からなる上記第１基準線を裏返した形状を有すると共に、上記内周縁及び上記外周縁の中心に関して点対称に規則的に配列されていることが好ましい。この場合には、上記第１基準線と上記第２基準線とをバランスの良い形状で形成すると共に、上記リング状領域に、上記第１基準線と上記第２基準線とがバランスよく配置される。これにより、上記突条部と上記細溝部とを均整の取れた形状及び配置とし、上記意匠面における意匠性をより向上することができる。
【００１４】
また、上記浮彫模様は、内周縁と該内周縁と同心の外周縁とに囲まれたリング状領域の少なくとも一部に設けられており、上記複数の第１基準線又は上記複数の第２基準線は、複数の同心円によって形成されていてもよい。この場合には、上記突条部又は上記細溝部が、上記リング状領域内に円形状で形成される。これにより、上記意匠面に、外側に向かって広がる波紋のような、丸みのあるやわらかな印象を付与することができる。
【００１５】
また、上記浮彫模様は、内周縁と該内周縁と同心の外周縁とに囲まれたリング状領域の少なくとも一部に設けられており、上記複数の第１基準線又は上記複数の第２基準線は、仮想の中心点から放射状に配置された直線によって形成されていてもよい。この場合には、上記突条部又は上記細溝部が、上記リング状領域内に、放射状に形成される。これにより、上記意匠面に、上記中心点から外側に向かって拡大するような、直線的でシャープな印象を付与することができる。
【００１６】
また、隣り合う上記複数の第１基準線同士の間隔Ｗ１は、２．５ｍｍ≦Ｗ１≦１２ｍｍであり、隣り合う上記複数の第２基準線同士の間隔Ｗ２は、０．５ｍｍ≦Ｗ２≦３．０ｍｍであることが好ましい。この場合には、上記複数の第１基準線同士の間隔Ｗ１及び上記複数の第２基準線同士の間隔Ｗ２を上記範囲内とすることにより、上記意匠面における視覚効果をより高めることができる。
【００１７】
また、上記浮彫模様において、上記突条部における意匠面からの突出高さＨは、０．３ｍｍ≦Ｈ≦０．８ｍｍであり、上記細溝部の溝深さＤは、０．１ｍｍ≦Ｄ≦０．３ｍｍであることが好ましい。この場合には、上記突条部における意匠面からの突出高さＨ及び上記細溝部の溝深さＤを上記範囲内とすることにより、上記意匠面における視覚効果をより高めることができる。
【実施例】
【００１８】
（実施例１）
上記陶磁器にかかる実施例について、図１〜図７を参照して説明する。
図１及び図２に示すごとく、陶磁器１は、浮彫模様２が形成された意匠面１３を有している。浮彫模様２は、略等間隔で配置された曲線からなる複数の第１基準線３１と、第１基準線３１と交差するよう配置された曲線からなる複数の第２基準線３２とを有している。複数の第１基準線３１は、凸稜線３１１と凹稜線３１２とに交互に分類される。意匠面１３には、各凸稜線３１１を挟む一対の凹稜線３１２から凸稜線３１１へと向かって突出する断面山形状の突条部２１と、複数の第２基準線３２に沿うように突条部２１の表面に形成された複数の細溝部２２とからなる浮彫模様２が形成されている。
【００１９】
以下さらに詳細に説明する。
図１〜図３に示すごとく、本例の陶磁器１は、円形状の皿である。陶磁器１は、円板状の底部１１と、底部１１の径方向外側に配設された円環状の環状部１２とを有している。底部１１の下面における外周縁には、下方に向かって突出した環状の高台１１１が形成されている。また、環状部１２は、径方向外側に向かうにつれて上方に向かって反り上がるように形成されており、環状部１２の上方側に向かって配置された面を意匠面１３とした。意匠面１３における内周縁１３２及び外周縁１３３は、底部１１の中心点４８と同心の円からなる。尚、本例においては、意匠面１３の内周縁１３２と外周縁１３３との間に形成された領域をリング状領域１３１としており、意匠面１３とリング状領域１３１とは同一の範囲を示す。
【００２０】
図１及び図２に示すごとく、意匠面１３には、意匠面１３の内周縁１３２と外周縁１３３とを繋ぐように形成された突条部２１と、突条部２１と交差するように形成された細溝部２２とを有する浮彫模様２が形成されている。
突条部２１は、上方から見たとき、意匠面１３の内周縁１３２と外周縁１３３とをつなぐように形成された複数の第１基準線３１に基づいて形成されている。また、細溝部２２は、第１基準線３１と交差する第２基準線３２に基づいて形成されている。
【００２１】
ここで、第１基準線３１と第２基準線３２の形成手順について説明する。
図５に示すごとく、リング状領域１３１に、陶磁器１の中心点４８から放射状に延びる複数の分割線４１と、内周縁１３２と外周縁１３３との間に形成された中間線４２とを形成する。本例において、分割線４１は、１０°間隔で３６本形成した。また、中間線４２は、内周縁１３２及び外周縁１３３と同心の円形状をなしており、内周縁１３２及び外周縁１３３の両方と等間隔となるように形成されている。
【００２２】
次いで、リング状領域１３１の内周縁１３２と分割線４１との交点に始点４３を形成し、リング状領域１３１の外周縁１３３と分割線４１との交点に終点４４を形成する。そして、複数の始点４３のうちの１つの始点４３１と複数の終点４４のうちの１つの終点４４１とを繋ぐ線分４６と、この線分４６の直角二等分線４７とを形成する。本例において、１つの始点４３１を通る分割線４１１と、１つの終点４４１を通る分割線４１２との間には、５本の分割線４１が配されており、分割線４１１と分割線４１２との間の角度は６０°とした。
【００２３】
次いで、直角二等分線４７と中間線４２との交点に中間点４５を形成する。そして、始点４３１、終点４４１及び中間点４５の３つの点を通る円から、始点４３１及び終点４４１を両端部とする円弧形状曲線を形成する。この円弧形状曲線が１つの第１基準線３１となる。
【００２４】
図６に示すごとく、この第１基準線３１を、陶磁器１の中心点４８に関して点対称に規則的に配列する。本例において、第１基準線３１は、１０°間隔で３６本形成してあり、中心点４８の周囲の全周に配列されている。また、隣り合う複数の第１基準線３１同士の間隔Ｗ１は、１０ｍｍとした。また、３６本の第１基準線３１は、凸稜線３１１と凹稜線３１２とに交互に分類される。
【００２５】
次いで、第２基準線３２を形成する。
図７に示すごとく、第２基準線３２は、第１基準線３１を裏返した形状が互いに相似する円弧形状曲線からなる。つまり、第２基準線３２は、第１基準線３１を、中心点４８を通る軸線４９に関して線対称となるように形成してある。この第２基準線３２を、中心点４８に関して点対称に規則的に配列する。本例において、第２基準線３２は、２．５°間隔で１４４本形成してあり、中心点４８の周囲の全周に配列されている。隣り合う複数の第２基準線３２の間隔Ｗ２は、２．５ｍｍとした。また、第１基準線３１と第２基準線３２とは、それぞれ曲線によって形成されているため、交差点Ｐにおける交差角度θ（図２）は、第１基準線３１と第２基準線３２とが交差する位置によって異なる。尚、本例においては、交差角度θは、１３０°〜１３７°の範囲内にある。
【００２６】
上述のごとく形成された第１基準線３１及び第２基準線３２を基に、意匠面１３には、突条部２１と細溝部２２とが形成される。
図１〜図３に示すごとく、突条部２１は、各凸稜線３１１を挟む一対の凹稜線３１２から凸稜線３１１へと向かって突出するように、凸稜線３１１及び凹稜線３１２に沿って形成されている。突条部２１の断面形状は、山形状をなしており、突条部２１は、凹稜線３１２と凸稜線３１１とを繋ぐ一対の傾斜面２１１によって形成されている。尚、本例に示すごとく、突条部２１における傾斜面２１１同士の接合部を曲面ではなく、角状に形成した場合、突条部２１における凹凸が強調され、突条部２１の存在感が増す。
【００２７】
図３に示すごとく、突条部２１は、突出高さＨが、内周縁１３２側及び外周縁１３３側から意匠面１３の内側（図５に示す中間線４２側）に向かうにつれて大きくなるように形成してある。この場合には、突出高さの変化に伴い、視覚効果に強弱が生まれ、意匠性に変化を与えることができる。尚、突条部２１の突出高さＨは、０．３ｍｍ〜０．６ｍｍの範囲内にある。また、突条部２１は、その全長において同一の突出高さによって形成してもよい。
【００２８】
図２及び図４に示すごとく、細溝部２２は、複数の第２基準線３２に沿うように突条部２１の表面に形成されている。細溝部２２における第２基準線３２と直交する断面形状は、略台形状をなしており、突条部２１の表面から陶磁器１の内部側に後退した底面２２１と、突条部２１の表面と底面２２１の両端とをそれぞれつなぐ斜面２２２とを有している。また、細溝部２２の溝深さＤは、０．２ｍｍとした。尚、細溝部２２は、第２基準線３２に沿って一様な断面形状によって形成してもよいし、細溝部２２の形状を変化させてもよい。例えば、細溝部２２の深さを変化させた場合には、視覚効果に強弱が生まれ、意匠面１３の意匠性に変化を与えることができる。
【００２９】
次に本例の作用効果について説明する。
陶磁器１は、互いに交差する突条部２１と細溝部２２とを有する浮彫模様２が形成された意匠面１３を備えている。そのため、意匠面１３には、突条部２１と細溝部２２とによって、角度や形状が異なる複数の凹凸形状が形成される。これら凹凸形状を備えることで意匠面１３においては、光の当たる方向の変化や視点の移動によって、光の反射方向及び陰影の形成のされ方が変化し、意匠面１３の色及び形状が変化するような視覚効果が得られる。この視覚効果は、陶磁器１が備える様々な質感によって表現されるものである。このように、意匠面１３に形成された浮彫模様２による意匠性の向上に加え、陶磁器ならではの質感と美しさとを生かすことによって、これまでにない優れた意匠性を備えた陶磁器１を得ることができる。
【００３０】
また、複数の第２基準線３２は、第１基準線３１同士の間隔よりも小さい間隔で略等間隔に配置されている。そのため、突条部２１と、突条部２１より小さい間隔で形成された細溝部２２とが意匠面１３に形成される。これにより、細溝部２２の数を増やし、細溝部２２における光の散乱の影響をより大きくすることができる。この細溝部２２における光の散乱により、突条部２１の形状を強調する部位と、突条部２１の形状をぼかす部位とが形成され、陶磁器１における視覚効果をより高めることができる。
【００３１】
また、第１基準線３１と第２基準線３２との交差点Ｐにおける交差角度θは、５０°〜１７３°の範囲内にある。そのため、突条部２１と細溝部２２とを形成した際の視覚効果が効果的となる。さらに、交差角度θは、１２５°〜１４５°の範囲内にあるため、意匠面１３における視覚効果がより高められる。
【００３２】
また、第１基準線３１と第２基準線３２とは、一方を裏返した形状が互いに相似する円弧形状曲線からなる。そのため、第１基準線３１と第２基準線３２とにおける形状及び配置のバランスを取りやすい。これにより、突条部２１と細溝部２２とを均整の取れた配置とし、意匠面１３における意匠性をより向上することができる。
【００３３】
また、浮彫模様２は、内周縁１３２と内周縁１３２と同心の外周縁１３３とに囲まれたリング状領域１３１に設けられており、第１基準線３１は、内周縁１３２と外周縁１３３とを結ぶ曲線からなると共に、内周縁１３２及び外周縁１３３の中心に関して点対称に規則的に配列されており、第２基準線３２は、内周縁１３２と外周縁１３３とを結ぶ曲線からなる第１基準線３１を裏返した形状を有すると共に、内周縁１３２及び外周縁１３３の中心に関して点対称に規則的に配列されている。そのため、第１基準線３１と第２基準線３２とをバランスの良い形状で形成すると共に、リング状領域１３１に、第１基準線３１と第２基準線３２とがバランスよく配置される。これにより、突条部２１と細溝部２２とを均整の取れた形状及び配置とし、意匠面１３における意匠性をより向上することができる。
【００３４】
また、隣り合う複数の第１基準線３１同士の間隔Ｗ１は、５ｍｍ≦Ｗ１≦１０ｍｍの範囲内にあり、隣り合う複数の第２基準線３２同士の間隔Ｗ２は、１．５ｍｍ≦Ｗ２≦２．８ｍｍの範囲内にある。そのため、意匠面１３における視覚効果をより高めることができる。
【００３５】
また、浮彫模様２において、突条部２１における意匠面１３からの突出高さＨは、０．３ｍｍ≦Ｈ≦０．６ｍｍの範囲内にあり、細溝部２２の溝深さＤは、０．１ｍｍ≦Ｄ≦０．２ｍｍの範囲内にある。そのため、意匠面１３における視覚効果をより高めることができる。
【００３６】
以上のごとく、本例の陶磁器１によれば、浮彫模様２を形成することによって、陶磁器本来の質感を生かしながら、オリジナリティのある優れた意匠性を得ることができる。
【００３７】
（実施例２）
本例は、図８に示すごとく、実施例１の陶磁器における構成を一部変更したものである。
本例の陶磁器１０１は、直線によって形成された複数の第１基準線３１３と、円形状によって形成された複数の第２基準線３２１とに基づいて形成された浮彫模様２０１を備えている。
複数の第１基準線３１３は、リング状領域１３１における中心点４８から、放射状に延びるように形成された直線における、リング状領域１３１内に配置された部位によって形成されている。また、第１基準線３１３は、中心点４８に関して点対称に規則的に配列されている。本例において、第１基準線３１３は、５°間隔で７２本形成してあり、中心点４８の周囲の全周に配列されている。また、隣り合う複数の第１基準線３１３同士の間隔Ｗ１は、８ｍｍとした。
【００３８】
複数の第２基準線３２１は、リング状領域１３１における中心点４８を中心として形成された複数の同心円によって形成されている。第２基準線３２１は、リング状領域１３１を、径方向において、１１等分するように１２本形成されている。尚、第２基準線３２１は、リング状領域１３１における内周縁１３２及び外周縁１３３と同形状に形成されたものも含む。また、隣り合う複数の第２基準線３２１同士の間隔Ｗ２は、１．６ｍｍとした。
その他の構成は実施例１と同様である。
【００３９】
本例の陶磁器１０１において、複数の第１基準線３１３は、中心点４８から放射状に配置された直線によって形成されている。そのため、第１基準線３１３を基に意匠面１３に放射状の突条部２１が形成される。これにより、意匠面１３に、中心点４８から外側に向かって拡大するような、直線的でシャープな印象を付与することができる。
【００４０】
また、複数の第２基準線３２１は、中心点４８を中心とする複数の同心円によって形成されている。そのため、第２基準線３２１を基に意匠面１３の中心に関して同心の円形状の細溝部２２が形成される。これにより、意匠面１３に、中心点から外側に向かって広がる波紋のような、丸みのあるやわらかな印象を付与することができる。
【００４１】
また、上述のごとく、放射状の突条部２１と円形状の細溝部２２とを形成することにより、シャープさとやわらかさとを兼ね備えた意匠性を得ることができる。
また、本例においても実施例１と同様の作用効果を得ることができる。
【００４２】
（実施例３）
本例は、図９に示すごとく、実施例１の陶磁器における構成を一部変更したものである。
本例の陶磁器１０２は、円形状に形成された複数の第１基準線３１４と、直線状に形成された複数の第２基準線３２２とに基づいて形成された浮彫模様２０２を備えている。
複数の第１基準線３１４は、リング状領域１３１の中心点４８を中心として形成された複数の同心円によって形成されている。第１基準線３１４は、リング状領域１３１を、陶磁器１の径方向において、８等分するように９本形成されている。尚、第１基準線３１４は、意匠面１３における内周縁１３２及び外周縁１３３と同形状に形成されたものも含む。また、隣り合う複数の第１基準線３１４同士の間隔Ｗ１は、５ｍｍとした。
【００４３】
複数の第２基準線３２２は、リング状領域１３１の中心点４８から、放射状に延びるように形成された直線における、リング状領域１３１内に配置された部位によって形成されている。また、第２基準線３２２は、中心点４８に関して点対称に規則的に配列されている。本例において、隣り合う第２基準線３２２は、１．５°間隔で、２４０本形成してあり、中心点４８の周囲の全周に配列されている。また、隣り合う複数の第２基準線４２２同士の間隔Ｗ２は、２．５ｍｍとした。
その他の構成は実施例１と同様である。
本例においても、実施例１及び実施例２と同様の作用効果を得ることができる。
【００４４】
尚、上記実施例１〜上記実施例３に示された陶磁器の浮彫模様は一例を示すものである。第１基準線及び第２基準線の形状、突条部及び細溝部の形状を変化させることにより、種々の形状の浮彫模様を形成することができる。
また、陶磁器は、皿以外の食器、花器、茶器等の種々の容器や、装飾品等であってもよい。また、陶磁器の形状は、円形状以外にも長円形、四角形等の種々の形状であってもよい。
【００４５】
また、意匠面は、陶磁器の表面の少なくとも一部に形成されていればよい。また、意匠面の形状は、円環形状以外にも、円形状、四角形等の種々の形状とすることができる。
【符号の説明】
【００４６】
１、１０１、１０２  陶磁器
１３  意匠面
２、２０１、２０２  浮彫模様
２１  突条部
２２  細溝部
３１、３１３、３１４  第１基準線
３１１  凸稜線
３１２  凹稜線
３２、３２１、３２２  第２基準線
【図１】
2015128553.tif 000003
【図２】
2015128553.tif 000004
【図３】
2015128553.tif 000005
【図４】
2015128553.tif 000006
【図５】
2015128553.tif 000007
【図６】
2015128553.tif 000008
【図７】
2015128553.tif 000009
【図８】
2015128553.tif 000010
【図９】
2015128553.tif 000011